(57)【要約】【課題】季節や天候等の要因に係わらずに安定した含水率および無機・有機質成分比率の脱水ケーキを乾燥機に供給することにより、焼却炉における下水汚泥の自然燃焼を促して処理コストの削減を図る。【解決手段】下水汚泥の脱水ケーキＧを乾燥機１０により乾燥して焼却炉１１により焼却するとともに、この焼却炉１１で発生した蒸気を乾燥機１０に供給して脱水ケーキＧを乾燥させる下水汚泥の焼却方法であって、下水汚泥の初沈汚泥Ｂと終沈汚泥Ｃとを、その混合比率を調整して混合することにより、脱水ケーキＧの含水率を調節する。【選択図】        図１
2004278950.tif 000002
【特許請求の範囲】
【請求項１】
下水汚泥の脱水ケーキを乾燥機により乾燥して焼却炉により焼却するとともに、この焼却炉で発生した蒸気を上記乾燥機に供給して上記脱水ケーキを乾燥させる下水汚泥の焼却方法であって、上記下水汚泥の初沈汚泥と終沈汚泥とを、その混合比率を調整して混合することにより、上記脱水ケーキの含水率を調節することを特徴とする下水汚泥の焼却方法。
【請求項２】
上記初沈汚泥の混合比率を終沈汚泥の混合比率よりも多くすることを特徴とする請求項１に記載の下水汚泥の焼却方法。
【請求項３】
上記初沈汚泥と終沈汚泥との混合比率を、体積比で８５：１５〜６０：４０の範囲内に調整することを特徴とする請求項１または請求項２に記載の下水汚泥の焼却方法。
【請求項４】
上記初沈汚泥と終沈汚泥とを混合した混合汚泥における固形分中の無機質成分と有機質成分との質量比が１０：９０〜４０：６０の範囲内となるように上記混合比率を調整することを特徴とする請求項１ないし請求項３のいずれかに記載の下水汚泥の焼却方法。
【請求項５】
上記脱水ケーキの含水率を７３〜８１ｗｔ％の範囲内に調節することを特徴とする請求項１ないし請求項４のいずれかに記載の下水汚泥の焼却方法。
【請求項６】
上記脱水ケーキを上記乾燥機によって乾燥させた乾燥ケーキの含水率を３５〜４０ｗｔ％の範囲内とすることを特徴とする請求項１ないし請求項５のいずれかに記載の下水汚泥の焼却方法。
【請求項７】
少なくとも上記初沈汚泥の含水率情報に基づいて、上記混合比率と、上記初沈汚泥と終沈汚泥とを混合した混合汚泥の上記脱水機への供給量とを調整することを特徴とする請求項１ないし請求項６のいずれかに記載の下水汚泥の焼却方法。
【請求項８】
上記脱水ケーキの含水率に基づいて、上記乾燥機に供給される蒸気圧を制御することを特徴とする請求項１ないし請求項７のいずれかに記載の下水汚泥の焼却方法。
【請求項９】
上記脱水ケーキの含水率に基づいて、この脱水ケーキの上記乾燥機への供給量を制御することを特徴とする請求項１ないし請求項８のいずれかに記載の下水汚泥の焼却方法。
【請求項１０】
上記脱水ケーキの含水率に基づいて、上記乾燥機における脱水ケーキの滞留時間を制御することを特徴とする請求項１ないし請求項９のいずれかに記載の下水汚泥の焼却方法。
【発明の詳細な説明】
【０００１】
【発明の属する技術分野】
本発明は、下水処理場において下水から分離された下水汚泥を脱水、乾燥して焼却処理する下水汚泥の焼却方法に関するものである。
【０００２】
【従来の技術】
一般に下水処理場に導入された下水は、まず沈砂池において砂分が沈殿させられ、次いで最初沈殿池で初沈汚泥（生汚泥）が沈降分離された後、反応タンクにおいて有機物が微生物と反応させられて最終沈殿池において終沈汚泥が沈降分離させられ、消毒等の処理がされて排出される一方、終沈汚泥は、その一部が活性汚泥として上記反応タンクに返送されて有機物との反応に再利用されるとともに、残りは余剰汚泥として濃縮、脱水されて処理される。また、上記初沈汚泥も濃縮、脱水されて処理される。ここで、このような初沈・終沈の下水汚泥を処理する方法としては、こうして脱水された下水汚泥の脱水ケーキを乾燥させて焼却処理することが、例えば特許文献１に記載されている。
【０００３】
【特許文献１】
特開平１１−２６７６９５号公報
【０００４】
【発明が解決しようとする課題】
ところで、このように下水処理場において下水から分離させられた下水汚泥の含水率は季節や天候等によって変動するため、元々の下水汚泥の含水率が多い場合には、これを脱水した脱水ケーキの含水率も高くなってしまう。ところが、このような脱水ケーキの乾燥から焼却を連続的に行う場合には、脱水ケーキを乾燥させる乾燥機に供給される熱が、乾燥された乾燥ケーキを焼却する焼却炉の廃熱ボイラで発生した蒸気によって賄われることが多く、従って脱水ケーキの含水率が大幅に上昇すると、これを乾燥させるのにより多くの蒸気が乾燥機で必要とされて廃熱ボイラの発生蒸気量とのバランスが保てなくなり、結果的に脱水ケーキを所定の含水率にまで乾燥させることができなくなって焼却炉で自然燃焼させることも困難となるため、補助燃焼機の使用が不可欠となって処理コストの高騰を招くこととなる。また、このような季節や天候等の要因は下水汚泥に含まれる有機物の量にも影響を与え、これによって脱水ケーキの無機質成分と有機質成分との比率も変化することにより、乾燥機から排出された乾燥ケーキが微細な粉状となって焼却炉への供給量の調節が困難となるとともに焼却炉に供給されて直ぐに燃え切りやすくなり、これらによっても焼却炉での自然燃焼が不安定となって補助燃焼機の使用を余儀なくされる結果となる。
【０００５】
本発明は、このような背景の下になされたもので、季節や天候等の要因に係わらずに安定した含水率および無機・有機質成分比率の脱水ケーキを乾燥機に供給することにより、焼却炉における下水汚泥の自然燃焼を促して処理コストの削減を図ることが可能な下水汚泥の焼却方法を提供することを目的としている。
【０００６】
【課題を解決するための手段】
上記課題を解決して、このような目的を達成するために、本発明は、下水汚泥の脱水ケーキを乾燥機により乾燥して焼却炉により焼却するとともに、この焼却炉で発生した蒸気を上記乾燥機に供給して上記脱水ケーキを乾燥させる下水汚泥の焼却方法であって、上記下水汚泥の初沈汚泥と終沈汚泥とを、その混合比率を調整して混合することにより、上記脱水ケーキの含水率を調節することを特徴とする。すなわち、下水処理場の最初沈殿池において沈殿した初沈汚泥は、濃度は高い反面、有機質成分の含有量が比較的少なくて脱水性が良いのに対し、最終沈殿池で沈殿した終沈汚泥は、濃度は低いものの、反応タンクで有機物と反応した微生物が含まれているために有機質成分含有量が多くて脱水性が悪い。そこで、これら初沈汚泥と終沈汚泥とを、その混合比率を調整しつつ混合して、乾燥機に供給される脱水ケーキの含水率を所定の範囲に調節することにより、季節や天候等の要因による影響を極力抑えて乾燥機の負荷を安定させ、焼却炉の廃熱ボイラにおける蒸気発生量とのバランスを図るとともに、脱水ケーキの無機質成分と有機質成分との比率をも所定の範囲に安定させることにより、乾燥ケーキが紛状となることなくある程度の大きさの粒状となるようにし、これらによって焼却炉における下水汚泥の自然燃焼を促すことが可能となる。
【０００７】
ここで、このように下水汚泥の初沈汚泥は有機質成分が少なくて脱水性が高く、すなわち脱水によって含水率をより低減することができるのに対し、終沈汚泥は逆に有機質成分が多くて脱水性が悪く、すなわち脱水による含水率の低減が初沈汚泥より困難であるので、より確実に脱水ケーキの含水率を抑えて乾燥機の負荷を軽減するとともに粒状の乾燥ケーキを得るには、初沈汚泥の混合比率を終沈汚泥の混合比率よりも多くするのが望ましく、より望ましくは、初沈汚泥と終沈汚泥との混合比率は体積比で８５：１５〜６０：４０の範囲内、初沈汚泥と終沈汚泥とを混合した混合汚泥における固形分中の無機質成分と有機質成分との質量比は１０：９０〜４０：６０の範囲内、さらに望ましくは３０：７０〜２０：８０の範囲内とされる。また、こうして混合された脱水ケーキの含水率は７３〜８１ｗｔ％の範囲内に調節されるのが望ましく、脱水ケーキを乾燥機により乾燥させた乾燥ケーキの含水率は３５〜４０ｗｔ％の範囲内とされるのが望ましい。
【０００８】
さらに、天候や季節的要因による含水率の変動は、終沈汚泥よりも初沈汚泥においてより顕著であるので、初沈汚泥と終沈汚泥との混合比率を調整しつつ混合するに際しては、少なくともこの初沈汚泥の濃度等の含水率情報に基づいて、上記混合比率と、上記初沈汚泥と終沈汚泥とを混合した混合汚泥の上記脱水機への供給量とを調整するのが望ましい。一方、こうして脱水された脱水ケーキを乾燥する上記乾燥機においては、この脱水ケーキの含水率に基づいて、焼却炉から上記乾燥機に供給される蒸気圧を制御するのが望ましく、またこの脱水ケーキの上記乾燥機への供給量を制御するのが望ましく、さらには上記乾燥機における脱水ケーキの滞留時間を制御するのが望ましい。すなわち、こうして脱水ケーキの含水率に基づいて乾燥機に供給される蒸気圧や、脱水ケーキの供給量、滞留時間を制御することにより、一層確実に乾燥ケーキの含水率を上述のような範囲に安定させて焼却炉における自然燃焼を促すことが可能となる。
【０００９】
【発明の実施の形態】
図１は、本発明の下水汚泥の焼却方法の一実施形態に係わる下水処理設備の一例を示すものであり、以下この処理設備の構成について説明しながらこの実施の形態について説明する。この処理設備において、当該処理設備に導入された下水Ａは、まず沈砂池１において砂分が沈殿させられるとともに大きなゴミ等がスクリーン等によって除去され、次いで最初沈殿池２に導入されて初沈汚泥Ｂが沈降分離させられ、分離された初沈汚泥Ｂは濃縮タンク３に供給されて濃縮させられる一方、こうして初沈汚泥Ｂが分離した下水Ａは、反応タンク（エアレーションタンク）４に導入されて有機物が該反応タンク４中の微生物と反応させられることにより分解させられた後、最終沈殿池５に導入される。そして、この最終沈殿池５においては、導入された下水Ａから終沈汚泥Ｃが沈降分離させられて、その一部は活性汚泥Ｄとして反応タンク４に返送させられて残存する微生物が下水Ａ中の有機物との反応に再利用されるとともに、残りは余剰汚泥Ｅとして貯留タンク６を介して濃縮タンク７に供給される一方、最終沈殿池５から排出された下水Ａは消毒等の処理がなされた後に河川等に放流される。
【００１０】
上記初沈汚泥Ｂが供給される濃縮タンク３は、例えば重力式の濃縮タンクであって、該濃縮タンク３に供給された初沈汚泥Ｂは比重の大きな固形分が沈降させられて濃縮させられる。一方、上記終沈汚泥Ｃのうちの余剰汚泥Ｅが供給される濃縮タンク７は、例えば加圧浮上式の濃縮タンクであって、空気が溶解した加圧水を濃縮タンク７に供給して溶解空気を析出させ、その微細な気泡を終沈汚泥Ｃ（余剰汚泥Ｅ）の粒子に付着させることにより該粒子を浮上させてフロスとして掻き取るものであり、分離水は上記加圧水として循環させられる。そして、こうして濃縮タンク３，７において濃縮させられた初沈汚泥Ｂと終沈汚泥Ｃとは、混合タンク８に供給されて望ましくは撹拌されながら混合され、かつその際の混合タンク８への供給量がそれぞれ制御されることにより、その混合比率が調整させられる。さらに、こうして初沈汚泥Ｂと終沈汚泥Ｃとを混合した混合汚泥Ｆは混合タンク８から引き抜かれて脱水機９に供給され、この脱水機９によって脱水されて脱水ケーキＧとされる。
【００１１】
ここで、この混合タンク８に供給される初沈汚泥Ｂと終沈汚泥Ｃとは、このうち少なくとも初沈汚泥Ｂの含水率情報に基づいて、互いの供給量が制御されて上記混合比率が調整されるとともに、上記混合汚泥Ｆの脱水機９への供給量も調整される。具体的に、本実施形態では、混合タンク８に供給される上記初沈汚泥Ｂの濃度が、該初沈汚泥Ｂの含水率の指標となる上記含水率情報として測定され、この初沈汚泥Ｂの含水率情報に基づいて、上記混合汚泥Ｆが所定の混合比率に調整されるように混合タンク８への初沈汚泥Ｂおよび終沈汚泥Ｃの供給量と、こうして混合された混合汚泥Ｆの脱水機９への供給量とが制御される。しかして、こうして混合される初沈汚泥Ｂの混合比率は、終沈汚泥Ｃの混合比率よりも多くされるのが望ましく、具体的には初沈汚泥Ｂと終沈汚泥Ｃとの混合比率を、混合タンク８への供給量の比すなわち体積比で８５：１５〜６０：４０の範囲内に調整するのが望ましい。また、この混合汚泥Ｆにおける固形分中の無機質成分と有機質成分との質量比は１０：９０〜４０：６０の範囲内となるように上記混合比率を調整するのが望ましく、３０：７０〜２０：８０の範囲内とされるのが、より望ましい。さらに、こうして混合させられた混合汚泥Ｆは、上記脱水機９においてその脱水ケーキＧの含水率が７３〜８１ｗｔ％の範囲内となるように調節されて脱水される。なお、この脱水機９としては、例えばベルトプレス式濾過機や真空ベルトフィルターなどが用いられる。
【００１２】
そして、こうして脱水された脱水ケーキＧは、次に乾燥機１０に供給されて乾燥させられ、さらにこうして脱水ケーキＧを乾燥させた乾燥ケーキＨは焼却炉１１に投入されて焼却される。ここで、この焼却炉１１としては例えば階段式のストーカ炉や流動層炉などが用いられ、該焼却炉１１には廃熱ボイラ１２が付設される。また、上記乾燥機１０としては蒸気によって脱水ケーキＧを間接的に加熱して乾燥させる例えばディスク式ドライヤー等が用いられて、脱水ケーキＧは望ましくは撹拌されながら乾燥され、上記廃熱ボイラ１２において発生させられた蒸気がこの乾燥機１０に供給されて脱水ケーキＧを加熱乾燥し、再び廃熱ボイラ１２に循環されるようになされている。なお、この乾燥機１０においては、該乾燥機１０から排出される乾燥ケーキＨの含水率が３５〜４０ｗｔ％の範囲内となるまで脱水ケーキＧを加熱して乾燥するのが望ましい。また、この乾燥機１０における乾燥工程においては、該乾燥機１０に供給される脱水ケーキＧの上記含水率に基づいて、上記焼却炉１１の廃熱ボイラ１２から乾燥機１０に供給される蒸気の蒸気圧、脱水機９からの脱水ケーキＧの乾燥機１０への供給量、および当該乾燥機１０における脱水ケーキＧの滞留時間が制御されるようになされている。
【００１３】
従って、このように構成された上記実施形態の下水汚泥の焼却方法においては、濃度は高いものの脱水性の良い初沈汚泥Ｂと逆に濃度は低いものの脱水性も悪い終沈汚泥Ｂとを、混合タンク８においてその混合比率を調整して混合することにより混合汚泥Ｆを生成し、この混合汚泥Ｆを脱水機９に供給して脱水ケーキＧの含水率を調節するようにしているので、季節的な要因や天候的な要因などによって下水処理場に導入される下水Ａ自体の含水率が大幅に変動しても、上記混合比率を調整することで脱水ケーキＧの含水率についてはその変動を極力抑えることができ、これによって乾燥機１０の負荷を安定させることができる。このため、この乾燥機１０によって乾燥された乾燥ケーキＨの含水率も安定的に維持して、焼却炉１１において補助燃焼機を使用することなく確実に自然燃焼させることができ、これに伴い上記廃熱ボイラ１２においても十分な蒸気を発生させて乾燥機１０に供給することができて、一層確実に乾燥ケーキＨの含水率を安定させることができるという良循環を図ることが可能となる。
【００１４】
また、上記初沈汚泥Ｂは有機質成分の含有量が比較的少ないために上述のように脱水性が高いのに対し、上記反応タンク４で有機物と反応した微生物が含まれる終沈汚泥Ｃは有機質成分の含有量も高い。しかして、これに対しても上記構成の焼却方法によれば、このような初沈汚泥Ｂと終沈汚泥Ｃとを、上述のように混合比率を調整して混合することにより、その混合汚泥Ｆにおける固形分中の無機質成分と有機質成分の比率も季節や天候等の要因に係わらずに安定させることができ、この混合汚泥Ｆを脱水した脱水ケーキＧを乾燥機１０によって乾燥させたときに、その乾燥ケーキＨを粒径２〜３ｃｍ程度の粒状とすることができる。従って、このように乾燥ケーキＨが所定の粒径の粒状とされることにより、この乾燥ケーキＨの焼却炉１１への投入量の調節を確実かつ容易に行うことが可能となるとともに、該乾燥ケーキＨが焼却炉１１に投入されて直ぐに燃え切ってしまったりするのも防ぐことができ、すなわち乾燥ケーキＨを焼却炉１１において安定的に燃焼させることが可能となるので、これによっても補助燃焼機の使用を抑えてより低コストの下水汚泥の処理を促すことができる。
【００１５】
ここで、このように初沈汚泥Ｂと終沈汚泥Ｃとを混合するに際して、混合汚泥Ｆにおける終沈汚泥Ｃの混合比率が初沈汚泥Ｂの混合比率を上回るほど多いと、この混合汚泥Ｆを脱水機９によって脱水する際の脱水性が損なわれて脱水ケーキＧの含水率を所望の範囲に安定させることができなくなるおそれが生じる。その一方で、初沈汚泥Ｂの混合比率が多すぎても、混合汚泥Ｆ自体の含水率が増大してやはり脱水ケーキＧの含水率を確実に安定させることが困難となるおそれが生じるので、本実施形態のように初沈汚泥Ｂの混合比率は終沈汚泥Ｃの混合比率よりも多くされるのが望ましく、さらには初沈汚泥Ｂと終沈汚泥Ｃとの混合比率は体積比で８５：１５〜６０：４０の範囲内とされるのが望ましい。また、このように脱水ケーキＧの含水率の安定化を図りつつも、その乾燥ケーキＨをより確実に上述のような粒状とするには、この混合汚泥Ｆにおける固形分中の無機質成分と有機質成分との質量比が１０：９０〜４０：６０の範囲内となるように上記混合比率を設定するのが望ましく、３０：７０〜２０：８０の範囲内とされるのが、より望ましい。
【００１６】
なお、このような混合汚泥Ｆを脱水機９により脱水した脱水ケーキＧの含水率は７３〜８１ｗｔ％の範囲内に調節されるのが望ましく、またこの脱水ケーキＧを乾燥機１０により乾燥した乾燥ケーキＨの含水率は３５〜４０ｗｔ％の範囲内とされるのが望ましい。すなわち、脱水ケーキＧの含水率が上記範囲を上回るほど多いと、乾燥機１０への蒸気圧を大幅に増大させなければ乾燥ケーキＨの含水率も上記範囲を上回るほど多くなり、廃熱ボイラ１２の発生蒸気圧とのバラスが保てなくなるおそれが生じる一方、逆に脱水ケーキＧの含水率が上記範囲を下回るほど少なく、これに伴って乾燥ケーキＨの含水率も上記範囲より少なくなっても、焼却炉１１に投入された乾燥ケーキＨが直ぐに燃え切ってしまって、安定した焼却処理が阻害されるおそれがある。
【００１７】
ところで、上記終沈汚泥Ｃ（余剰汚泥Ｅ）は、初沈汚泥Ｂを分離して反応タンク４で処理した後の下水Ａから沈降分離されたものを、さらに加圧浮上式の濃縮タンク７でフロスとして濃縮したものであるのに対し、初沈汚泥Ｂは処理設備に導入された初段階の下水Ａから沈降分離したものを重力式の濃縮タンク３で濃縮しただけのものであるので、上記天候や季節等の要因による含水率の変動は終沈汚泥Ｃに比べて初沈汚泥Ｂにおいてより顕著となり、言い換えれば終沈汚泥Ｃの含水率は変動幅が小さく安定していて、脱水ケーキＧの含水率の変動は専ら初沈汚泥Ｂの含水率の変動によるものとなる。そこで、本実施形態では上述のように、上記混合タンク８において初沈汚泥Ｂと終沈汚泥Ｃとを混合するのに際し、この初沈汚泥Ｂの濃度を測定して、これを初沈汚泥Ｂの含水率の指標となる含水率情報とし、この含水率情報に基づいて、初沈汚泥Ｂの混合タンク８への供給量に対する終沈汚泥Ｃの供給量を制御して初沈汚泥Ｂと終沈汚泥Ｃとの混合比率を調整するとともに、この混合タンク８から脱水機９への混合汚泥Ｆの供給量も制御して調整するようにしており、こうして脱水ケーキＧの含水率への影響の大きい初沈汚泥Ｂの含水率を濃度等の上記含水率情報によって把握することで、より的確に初沈汚泥Ｂと終沈汚泥Ｃとの混合比率を調整することが可能となり、しかもこうして的確に混合比率が調整された混合汚泥Ｆを適切な供給量で脱水機９に供給されるので、一層確実に脱水ケーキＧの含水率を上述のような範囲に調節することが可能となる。なお、本実施形態ではこのように初沈汚泥Ｂの濃度を含水率情報としてこれに基づき混合比率や混合汚泥Ｆの脱水機への供給量を調整しているが、例えば汚泥の粘度といった濃度以外の情報を含水率情報としてもよく、また終沈汚泥Ｃについてもこのような含水率情報を把握するようにすれば、これら初沈汚泥Ｂと終沈汚泥Ｃの含水率情報に基づいて一層的確な混合比率や供給量の調整を行うことが可能となる。
【００１８】
一方、こうして混合タンク８から供給された混合汚泥Ｆを脱水機９により脱水した脱水ケーキＧは、乾燥機１０に供給されて上述のような含水率にまで乾燥され、乾燥ケーキＨとして焼却炉１１に投入されて焼却されるが、この乾燥機１０における乾燥工程において本実施形態では、上記脱水ケーキＧの含水率に基づいて、乾燥機１０に供給される蒸気圧、該乾燥機１０への脱水ケーキＧの供給量、および乾燥機１０における脱水ケーキＧの滞留時間を制御するようにしており、従って上述のように初沈汚泥Ｂと終沈汚泥Ｃとの混合比率を調整したにも係わらず、万一脱水ケーキＧの含水率に大きな変動が生じたときには、これらの少なくとも１つ、場合によってはすべてを適宜制御することによって乾燥ケーキＨの含水率を上述のような範囲に調整することが可能となる。すなわち、例えば脱水ケーキＧの含水率が上昇した場合には、焼却炉１２に付設された廃熱ボイラ１２から乾燥機１０に供給される蒸気の蒸気圧を増大させて乾燥温度を上昇させたり、脱水機９から乾燥機１０への脱水ケーキＧの供給量を抑制したり、乾燥機１０の出口（乾燥ケーキの排出口）に設けたゲートを上昇させるなどして脱水ケーキＧの乾燥機１０内における滞留時間を延長したりすればよい。
【００１９】
【発明の効果】
以上説明したように、本発明によれば、初沈汚泥と終沈汚泥とを混合して、望ましくは初沈汚泥の混合比率が終沈汚泥の混合比率よりも多くなるように、より望ましくは体積比で８５：１５〜６０：４０の範囲内となるように、その混合比率を調整し、脱水ケーキの含水率を、望ましくは７３〜８１ｗｔ％の範囲内に調節することにより、季節や天候等の要因に係わらずに乾燥機の負荷をバランスさせて、望ましくは３５〜４０ｗｔ％の範囲内の安定した含水率の乾燥ケーキを焼却炉に供給することができるとともに、混合汚泥における固形分中の無機質成分と有機質成分との質量比も、望ましくは１０：９０〜４０：６０の範囲内となるように安定させて、焼却炉における乾燥ケーキの自然燃焼を促すことが可能となり、より低コストの下水汚泥の処理を図ることができる。さらに、上記初沈汚泥と終沈汚泥との混合の際には、少なくとも初沈汚泥の含水率情報に基づいて混合比率や脱水機への供給量を調整することにより、一層的確に脱水ケーキの含水率を調節することが可能となり、またこの脱水ケーキの含水率に基づいて乾燥機に供給される蒸気圧や、脱水ケーキの供給量、滞留時間を制御することにより、さらに確実な乾燥ケーキの自然燃焼を図ることができる。
【図面の簡単な説明】
【図１】本発明の一実施形態に係わる下水処理設備の一例を示す概略図である。
【符号の説明】
２  最初沈殿池
３，７  濃縮タンク
４  反応タンク
５  最終沈殿池
８  混合タンク
９  脱水機
１０  乾燥機
１１  焼却炉
１２  廃熱ボイラ
Ａ  下水
Ｂ  初沈汚泥（生汚泥）
Ｃ  終沈汚泥
Ｆ  混合汚泥
Ｇ  脱水ケーキ
Ｈ  乾燥ケーキ
【図１】
2004278950.tif 000003